(57)【要約】【課題】直流のアナログ電圧を忠実に伝送するためにＭＯＳＦＥＴを用いたアナログスイッチを用いると高価になってしまうという課題があった。【解決手段】中間周波増幅器２９の出力に接続されるとともに高周波を伝達する電子スイッチ３９により減衰量を選択する減衰量選択回路４０と、この減衰量選択回路４０と高周波増幅器２４の利得制御端子２４ａとの間に接続された検波器３８とを設け、デジタル放送信号５２とアナログ放送信号５１を受信する夫々の場合において、ＰＬＬ回路４６から出力される信号に基づいて、減衰量選択回路４０で減衰量を切り替える制御を行うものである。これにより、所期の目的を達成することができる。【選択図】図１
2007067471.tif 000002
【特許請求の範囲】
【請求項１】
デジタル放送信号とアナログ放送信号が入力される入力端子と、この入力端子から入力された信号が供給される利得制御端子付の高周波増幅器と、この高周波増幅器の出力が一方の入力に供給されるとともに他方の入力には発振器の出力が接続された混合器と、この混合器の出力が中間周波フィルタを介して接続された中間周波増幅器と、この中間周波増幅器の出力が共通端子に接続された切り替えスイッチと、この切り替えスイッチの一方の端子が接続された第１のチューナ出力端子と、前記切り替えスイッチの他方の端子が接続された第２のチューナ出力端子と、前記発振器の発振周波数を制御するＰＬＬ回路とを備え、前記中間周波増幅器の出力に接続されるとともに高周波を伝達する電子スイッチにより減衰量を選択する減衰量選択回路と、この減衰量選択回路と前記高周波増幅器の利得制御端子との間に接続された検波器とを設け、前記デジタル放送信号と前記アナログ放送信号を受信する夫々の場合において、前記ＰＬＬ回路から出力される信号に基づいて、前記減衰量選択回路の減衰量を切り替える制御を行う電子チューナ。
【請求項２】
デジタル放送信号を受信する場合には、ＰＬＬ回路から出力される信号に基づいて、発振器の発振周波数の制御と切り替えスイッチの第１のチューナ出力端子側への切り替えと減衰量選択回路で減衰量を低減衰量側へ切り替える制御を行い、アナログ放送信号を受信する場合には、前記ＰＬＬ回路から出力される信号に基づいて、前記発振器の発振周波数の制御と前記切り替えスイッチの第２のチューナ出力端子側への切り替えと前記減衰量選択回路で減衰量を高減衰量側へ切り替える制御を行う請求項１に記載の電子チューナ。
【請求項３】
減衰量選択回路は、抵抗で形成されたアッテネータと、このアッテネータと並列接続された電子スイッチとで構成され、前記電子スイッチをオンすることにより低減衰量側へ切り替え、前記電子スイッチをオフすることにより高減衰量側へ切り替える請求項１に記載の電子チューナ。
【請求項４】
減衰量選択回路は、抵抗で形成されたアッテネータと、このアッテネータと一方の端子が接続されるとともに、他方の端子には中間周波増幅器の出力が直接接続された電子スイッチとで構成され、前記電子スイッチを一方の端子側に切り替えることにより高減衰量側へ切り替え、前記電子スイッチを他方の端子側へ切り替えることにより低減衰量側へ切り替える請求項２に記載の電子チューナ。
【請求項５】
減衰量選択回路の高減衰量側の減衰量は、低減衰量側の減衰量より略３〜５ｄＢ減衰量が大きい請求項２に記載の電子チューナ。
【請求項６】
電子スイッチはピンダイオードで形成された請求項１に記載の電子チューナ。
【請求項７】
中間周波フィルタは、３ｄＢ帯域幅を略６ＭＨｚとした請求項１に記載の電子チューナ。
【請求項８】
請求項１に記載の電子チューナの第１のチューナ出力端子に接続されたアナログ復調部と、前記電子チューナの第２のチューナ出力端子に接続されたデジタル復調部と、前記電子チューナのＰＬＬ回路の入力に接続された制御部と、この制御部に接続されたメモリと、前記制御部に接続される入力部及び表示部とを有する高周波信号受信装置。
【請求項９】
請求項８に記載の高周波信号受信装置において、デジタル放送信号或いはアナログ放送信号を受信するに先立って、前記アナログ放送信号帯をスキャンし、このスキャンにより得られる検波器の出力に該当するアナログ放送局と、前記検波器の出力が存在するにも係わらず前記アナログ放送局非該当の周波数を前記メモリのＡエリアとＷエリアに夫々格納する第１のステップと、この第１のステップの後で前記Ｗエリアに格納された前記アナログ放送局非該当の周波数をスキャンして、該当するデジタル放送局を前記メモリのＤエリアに格納する第２のステップを有する高周波信号受信装置の制御方法。
【請求項１０】
第１のステップにおいて、Ａエリアに格納されたアナログ放送局名を表示部に表示するとともに、第２のステップにおいて、Ｄエリアに格納されたデジタル放送局名を表示部に表示する請求項９に記載の高周波信号受信装置の制御方法。
【発明の詳細な説明】
【技術分野】
【０００１】
本発明は、電子チューナとこれを用いた高周波信号受信装置とその制御方法に関するものである。
【背景技術】
【０００２】
従来の電子チューナは、図７に示す構成となっていた。図７において、１は、デジタル放送信号と、このデジタル放送信号より高レベルのアナログ放送信号を受信するアンテナであり、このアンテナ１は入力端子２に接続されている。また、この入力端子２は高周波フィルタ３を介して利得制御端子４ａ付の高周波増幅器４に接続されている。この高周波増幅器４の出力は段間フィルタ５を介して、一方の端子に接続されるとともに、他方の入力は発振器６の出力が接続された混合器７が接続されている。
【０００３】
この混合器７の出力は中間周波フィルタ８を介して中間周波増幅器９に接続されており、この中間周波増幅器９の出力は切り替えスイッチ１０の共通端子１０ａに接続されている。また、この切り替えスイッチ１０の一方の端子１０ｂは弾性表面波（以下、ＳＡＷという）フィルタ１１を介してアナログ復調部１２に接続されており、このアナログ復調部１２の出力は出力端子１３に接続されている。
【０００４】
また、切り替えスイッチ１０の他方の端子１０ｃはＳＡＷフィルタ１４を介してデジタル復調部１５に接続されており、このデジタル復調部１５の出力は出力端子１６に接続されている。
【０００５】
さらに、アナログ復調部１２の内部に含まれる検波器１７から切り替えスイッチ１８の一方の端子１８ｂに接続されるとともに、デジタル復調部１５の内部に含まれる検波器１９から切り替えスイッチ１８の他方の端子１８ｃに接続されている。
【０００６】
また、切り替えスイッチ１８の共通端子１８ａは、高周波増幅器４の利得制御端子４ａに接続されている。なお、ここで、切り替えスイッチ１８は、アナログ信号が通過するので、この直流のアナログ電圧を忠実に伝達するため、ＭＯＳＦＥＴを使用した高価なアナログスイッチが用いられていた。
【０００７】
以上のように構成された電子チューナについて、以下にその動作を説明する。アンテナ１から入力されたアナログ放送信号、或いはデジタル放送信号は、高周波増幅器４で増幅された後、混合器７で発振器６の出力と混合されて選局される。ここで、アナログ放送信号を受信する場合には、切り替えスイッチ１０は、一方の端子１０ｂ側に切り替えられている。従って、アナログ復調部１２で復調されて出力端子１３から出力される。
【０００８】
また、このとき、一方の端子１０ｂから出力されるアナログ信号はアナログ復調部１２の内部の検波器１７で検波され、直流レベルのＡＧＣ信号に変換される。このとき切り替えスイッチ１８も一方の端子１８ｂ側へ切り替えられており、検波器１７で検波されたＡＧＣ信号は、切り替えスイッチ１８を通って高周波増幅器４の利得制御端子４ａに入力される。
【０００９】
そして、ＡＧＣ信号のレベルに比例して高周波増幅器４の増幅度が制御される。即ち、アンテナ１に入力されるアナログ放送信号のレベルが大きいときは、高周波増幅器４の増幅度が小さくなるように制御され、アンテナ１に入力されるアナログ放送信号のレベルが小さいときは、高周波増幅器４の増幅度が大きくなるように制御される。
【００１０】
同様に、デジタル放送信号を受信する場合には、切り替えスイッチ１０は、他方の端子１０ｃ側に切り替えられている。従って、デジタル復調部１５で復調されて出力端子１６から出力される。
【００１１】
また、このとき、他方の端子１０ｃから出力されるデジタル信号はデジタル復調部１５の内部の検波器１９で検波され、直流レベルのＡＧＣ信号に変換される。このとき切り替えスイッチ１８も他方の端子１８ｃ側へ切り替えられており、検波器１９で検波されたＡＧＣ信号は、切り替えスイッチ１８を通って高周波増幅器４の利得制御端子４ａに入力される。
【００１２】
そして、ＡＧＣ信号のレベルに比例して高周波増幅器４の増幅度が制御される。即ち、アンテナ１に入力されるデジタル放送信号のレベルが大きいときは、高周波増幅器４の増幅度が小さくなるように制御され、アンテナ１に入力されるデジタル放送信号のレベルが小さいときは、高周波増幅器４の増幅度が大きくなるように制御される。
【００１３】
なお、この出願の発明に関連する先行技術文献情報としては、例えば、特許文献１が知られている。
【特許文献１】特開２００５−１３６７９０号公報
【発明の開示】
【発明が解決しようとする課題】
【００１４】
しかしながらこのような従来の電子チューナでは、アナログ復調部１２の出力を検波する検波器１７、或いはデジタル復調部１５の出力を検波する検波器１９から出力される直流レベルのＡＧＣ信号が、切り替えスイッチ１８を介して高周波増幅器４の利得制御端子４ａへ伝達される。そのため、切り替えスイッチ１８には、アナログ電圧を忠実に伝達するアナログスイッチが必要となる。即ち、アナログスイッチは、直流のアナログ電圧を忠実に伝達するＭＯＳＦＥＴを使用した高価なアナログスイッチ等で構成する必要があった。従って、どうしても高価な電子チューナになってしまうという問題があった。
【００１５】
本発明は、低価格の電子チューナを提供することを目的としたものである。
【課題を解決するための手段】
【００１６】
そしてこの目的を達成するために本発明の電子チューナは、中間周波増幅器の出力に接続されるとともに高周波を伝達する電子スイッチにより減衰量を選択する減衰量選択回路と、この減衰量選択回路と高周波増幅器の利得制御端子との間に接続された検波器とを設け、デジタル放送信号とアナログ放送信号を受信する夫々の場合において、ＰＬＬ回路から出力される信号に基づいて、前記減衰量選択回路の減衰量を切り替える制御を行うものである。これにより、所期の目的を達成することができる。
【発明の効果】
【００１７】
以上のように本発明は、中間周波増幅器の出力に接続されるとともに高周波を伝達する電子スイッチにより減衰量を選択する減衰量選択回路と、この減衰量選択回路と高周波増幅器の利得制御端子との間に接続された検波器とを設け、デジタル放送信号とアナログ放送信号を受信する夫々の場合において、ＰＬＬ回路から出力される信号に基づいて、前記減衰量選択回路の減衰量を切り替える制御を行うものである。
【００１８】
即ち、以上の構成とすれば、高周波が出力される中間周波増幅器の出力に直接電子スイッチが接続されることになる。即ち、この電子スイッチでは、従来のように直流のアナログ電圧を伝達する必要は無く、高周波を伝達する電子スイッチを用いることができる。従って、従来のように直流の微小電圧変化を伝送するアナログ電圧を伝達するＭＯＳＦＥＴを使用したアナログスイッチ等を用いる必要は無く、高周波を伝達する電子スイッチを用いることができるので、低価格化を実現することができる。
【００１９】
また、この電子スイッチはＰＬＬ回路の出力に接続されるので、この電子スイッチ専用の制御端子を設ける必要は無い。従ってこの点でも、小型化と低価格化を図ることができる。
【００２０】
更に、アナログ受信時とデジタル受信時により、検波器に入力されるレベルを変えていることからアナログ／デジタル夫々の受信時に最適なＳ／Ｎ（信号対雑音比）と歪み特性を得ることができる。
【発明を実施するための最良の形態】
【００２１】
以下、本発明の実施の形態について図面を用いて説明する。
【００２２】
（実施の形態１）
図１は、実施の形態１における本発明の電子チューナを用いた高周波信号受信装置のブロック図である。図１において、２１は、デジタル放送信号と、このデジタル放送信号より高レベルのアナログ放送信号を受信するアンテナであり、このアンテナ２１は入力端子２２に接続されている。また、この入力端子２２は高周波フィルタ２３を介して、利得制御端子２４ａ付の高周波増幅器２４に接続されている。この高周波増幅器２４の出力は段間フィルタ２５を介して一方の入力に接続されるとともに、他方の入力には発振器２６の出力が接続された混合器２７が接続されている。
【００２３】
この混合器２７の出力は、３ｄＢ帯域幅を６ＭＨｚとした中間周波フィルタ２８を介して中間周波増幅器２９に接続されている。この中間周波増幅器２９の出力はピンダイオードで形成された切り替えスイッチ３０の共通端子３０ａに接続されている。
【００２４】
ここで、この切り替えスイッチ３０の一方の端子３０ｂはチューナ出力端子３１を介してアナログ復調部３２に接続されており、このアナログ復調部３２の出力は出力端子３３に接続されている。また、切り替えスイッチ３０の他方の端子３０ｃはチューナ出力端子３４を介してデジタル復調部３５に接続されており、このデジタル復調部３５の出力は出力端子３６に接続されている。
【００２５】
また、中間周波増幅器２９の出力は、抵抗で形成された３〜５ｄＢのアッテネータ（減衰器）３７を介して検波器３８に接続されている。そして、この検波器３８の出力は、高周波増幅器２４の利得制御端子２４ａに接続されている。３９は高周波が通過する電子スイッチであり、アッテネータ３７と並列に接続されて減衰量選択回路４０を形成している。また、この電子スイッチ３９は、ピンダイオードで形成されている。
【００２６】
なお、この減衰量選択回路４０と中間周波増幅器２９との間、或いは減衰量選択回路４０と検波器３８との間に抵抗を挿入すれば、全体のレベルを容易に調整することができる。
【００２７】
４１は、キーボード等で形成された入力部であり、端子４２を介して制御部４３に接続されている。また、この制御部４３はメモリ４４に接続されている。更に、制御部４３には、端子４８を介して表示部４９が接続されている。
【００２８】
また、制御部４３の出力はデータ端子４５を介してＰＬＬ回路４６に接続されている。このＰＬＬ回路４６の出力は発振器２６に接続されるとともに、切り替えスイッチ３０と電子スイッチ３９の制御端子に夫々接続されている。
【００２９】
なお、ＰＬＬ回路４６と、切り替えスイッチ３０及び電子スイッチ３９の制御端子との間にはスイッチ制御端子４７を設けることもできる。
【００３０】
ここで、点線内は電子チューナ５０を示している。即ち、入力端子２２と高周波フィルタ２３と高周波増幅器２４と段間フィルタ２５と発振器２６と混合器２７と中間周波フィルタ２８と中間周波数増幅器２９と切り替えスイッチ３０とチューナ出力端子３１，３４とアッテネータ３７と検波器３８と電子スイッチ３９とＰＬＬ回路４６とデータ端子４５とで電子チューナ５０を形成している。
【００３１】
以上のように構成された電子チューナ５０について、以下にその動作を説明する。アンテナ２１には、図２に示すようなレベルのアナログ放送信号５１とデジタル放送信号５２とが入力される。ここで、アナログ放送信号５１はデジタル放送信号５２に比べて約３０ｄＢレベルが高い信号である。
【００３２】
なお、この３０ｄＢという数字は定まった値ではなく、アナログ放送局からアンテナ２１までの距離、及びデジタル放送局からアンテナ２１までの距離によっても異なるものである。しかしながら、一般的には新規に開発されたデジタル放送信号５２が従来から存在するアナログ放送信号５１へ与える妨害を低減するため、デジタル放送信号５２のレベルをアナログ放送信号５１のレベルより低くしている。
【００３３】
図２において、横軸５３は周波数（ＭＨｚ）であり、縦軸５４はアンテナ２１における放送信号の入力信号のレベル（ｄＢｍ）である。
【００３４】
図１に戻って、アンテナ２１から入力されたアナログ放送信号５１、或いはデジタル放送信号５２は、高周波フィルタ２３で妨害信号が抑圧された後、高周波増幅器２４で増幅される。この高周波増幅器２４には利得制御端子２４ａが設けられており、この利得制御端子２４ａに入力される直流電圧により増幅度が可変されるものである。増幅度を可変することにより、混合器２７へ入力されるレベルを一定以上にならないように制御して、例え入力端子２２に入力される高周波信号が大きくても混合器２７での歪を低減させるものである。
【００３５】
この高周波増幅器２４から出力される信号は、段間フィルタ２５で更に希望信号の両端近傍の信号が抑圧される。この信号は混合器２７に入力され、発振器２６の出力と混合されて選局される。即ち、ＰＬＬ回路４６により発振器２６の発振周波数を制御して希望信号を選局する。
【００３６】
この選局された希望信号は、中間周波フィルタ２８を介して隣チャンネル信号を抑圧した後、中間周波増幅器２９で増幅される。ここで、切り替えスイッチ３０は、アナログ放送信号５１の受信時にはＰＬＬ回路４６の出力により、切り替えスイッチ３０は一方側の端子３０ｂに接続されている。従って、中間周波増幅器２９の出力は、チューナ出力端子３１に出力される。そして、この信号は、アナログ復調部３２を経て出力端子３３から出力される。
【００３７】
また、デジタル放送信号５２の受信時には、ＰＬＬ回路４６の出力により、切り替えスイッチ３０は他方側の端子３０ｃに接続されている。従って、チューナ出力端子３４に出力される。そして、この信号は、デジタル復調部３５を経て出力端子３６から出力される。
【００３８】
なお、混合器２７からは約４４ＭＨｚの中間周波数が出力されている。この中間周波数は４４ＭＨｚに限ることは無く、例えば、いわゆるアップ・ダウン形式の電子チューナにおいては約１２００ＭＨｚの中間周波数を用いている。いずれにしても、減衰量選択回路４０を形成する電子スイッチ３９は高周波が伝達されることが重要である。
【００３９】
次に、高周波増幅器２４の増幅度の制御について説明する。アナログ放送信号５１の受信時には電子スイッチ３９はオープン（オフ）となっている（高減衰量側）ので、中間周波増幅器２９の出力は、３〜５ｄＢのアッテネータ３７を介して検波器３８に入力される。この検波器３８では３〜５ｄＢ減衰した中間周波増幅器２９の出力が直流レベルに変換される。この変換された直流レベル（ＡＧＣ電圧）で高周波増幅器２４の増幅度を制御する。このことにより、アンテナ２１に入力されるアナログ放送信号５１のレベルの大小に関係なく、一定のレベルが混合器２７に供給されることになり、混合器２７による歪を少なくするものである。
【００４０】
同様に、デジタル放送信号５２の受信時には電子スイッチ３９はショート（オン）となっている（低減衰量側）ので、中間周波増幅器２９の出力は、直接検波器３８に入力される。この検波器３８で中間周波増幅器２９の出力が直流レベルに変換される。この変換された直流レベルで高周波増幅器２４の増幅度を制御する。このことにより、アンテナ２１に入力されるデジタル放送信号５２のレベルの大小に関係なく、一定のレベルが混合器２７に供給されることになり、混合器２７による歪は少なくする。
【００４１】
ここで、デジタル放送信号５２の受信時においては、アナログ放送信号５１の受信時に比べて中間周波増幅器２９の出力レベルが低いレベルで検波される。この結果、共通端子３０ａにおいて、デジタル受信時のＳ／Ｎ（信号対雑音比）は、アナログ受信時のＳ／Ｎに比べて小さくなる。しかし、デジタル復調部３５の後に、エラー訂正回路が挿入されるので、デジタル信号はアナログ信号に比べて小さなＳ／Ｎ比で復調することができる。この分、歪み特性を有利にとることができ、アナログ放送信号５１が妨害となって存在する場合においても、安定した受信品質を確保することができる。この様に、アナログ／デジタル夫々の受信時に最適なＳ／Ｎと歪み特性を得ることができる。
【００４２】
図３は、電子スイッチ３９の回路図である。図３において、５５は、電子スイッチ３９の入力端子であり、この入力端子５５は、直流カット用のコンデンサ５６を介してピンダイオード５７のアノード側に接続されている。また、このピンダイオード５７のカソード側は、直流カット用のコンデンサ５８を介して電子スイッチ３９の出力端子５９に接続されている。
【００４３】
４７は、ＰＬＬ回路４６の出力が接続されるスイッチ制御端子であり、このスイッチ制御端子４７は、抵抗６１を介してコンデンサ５６とピンダイオード５７の接続点に接続されている。また、コンデンサ５８とピンダイオード５７の接続点とグランドとの間には、抵抗６２が接続されている。
【００４４】
従って、スイッチ制御端子４７をハイ（Ｈ）にすれば、抵抗６１とピンダイオード５７と抵抗６２を電流が流れることになり、ピンダイオード５７は導通状態となる。即ち、電子スイッチ３９はオンとなる。また、スイッチ制御端子４７をロー（Ｌ）にすれば、抵抗６１とピンダイオード５７と抵抗６２には電流が流れることはなく、ピンダイオード５７はハイインピーダンス状態となる。即ち、電子スイッチ３９はオフとなる。
【００４５】
以上説明したように、本実施の形態では、電子スイッチ３９にピンダイオード５７を用いているので、従来のアナログスイッチに比べて小型化と低価格化を図ることができる。これは従来においては、直流のアナログ電圧を忠実に伝送する必要があったためコストを犠牲にしてアナログスイッチを用いていたが、本実施の形態では混合器２７から出力される高周波の中間周波を伝送すれば良いので、ピンダイオード５７で形成された電子スイッチ３９を用いることができるものである。従って、小型化と低価格化を図ることができる。
【００４６】
また、ＰＬＬ回路４６の出力を電子スイッチ３９の制御端子に接続し、ＰＬＬ回路４６からの出力で電子スイッチ３９のオン・オフを制御しているので、電子スイッチ３９を制御する端子を特別に設ける必要は無い。従って、この点でも小型化と低価格化を図ることができる。
【００４７】
更に、電子スイッチ３９のオン・オフにより信号が中断することは無く、必ずアッテネータ３７側か電子スイッチ３９側を流れる。特に、アッテネータ３７側は常に接続されているので、信号が中断する瞬間さえ存在しない。即ち、電子スイッチ３９のオン・オフ切り替えによるノイズの影響が極めて少なくなる。
【００４８】
更にまた、中間周波フィルタ２８は、３ｄＢバンド幅を６ＭＨｚとしているので、約５ＭＨｚの帯域を必要とするアナログ放送信号５１と６ＭＨｚの帯域を必要とするデジタル放送信号５２をともに通過させることができる。
【００４９】
また、減衰量選択回路４０の減衰量は、高減衰量側は低減衰量側より、略３〜５ｄＢ減衰量を大きくしている。従って、デジタル放送信号５２の受信時において、アナログ放送信号５１受信時の強入力でのＳ／Ｎが略３〜５ｄＢ劣化するが、デジタル固有の特性により、良好な画像を得ることができるとともに、歪み特性も略３〜５ｄＢ良化させることができる。
【００５０】
（実施の形態２）
図４は、実施の形態２における減衰量選択回路６５のブロック図である。実施の形態２においては、減衰量選択回路６５のみが実施の形態１と相違するものであり、他の回路は同一であるので説明を簡略化している。
【００５１】
図４において、減衰量選択回路６５は、中間周波増幅器２９の出力と切り替えスイッチ６６の一方の端子との間に、抵抗で形成された３ｄＢのアッテネータ６７が挿入されている。また、中間周波増幅器２９の出力と切り替えスイッチ６６の他方の端子との間は直接接続されている。そして、切り替えスイッチ６６の共通端子は検波器３８の入力に接続されている。
【００５２】
この切り替えスイッチ６６は、ピンダイオードで形成されており、アナログ放送信号５１の受信時にはアッテネータ６７側（高減衰量側）に接続され、デジタル放送信号５２の受信時には直接切り替えスイッチ６６の他方の端子側（低減衰量側）に接続される。
【００５３】
このように、本実施の形態では、切り替えスイッチ６６にピンダイオードを用いているので、従来のアナログスイッチに比べて小型化と低価格化を図ることができる。これは従来においては、直流のアナログ電圧を忠実に伝送する必要があったためアナログスイッチを用いていたが、本実施の形態では混合器２７から出力される高周波の中間周波を伝送すれば良いので、ピンダイオードで形成された切り替えスイッチ６６を用いることができるものである。従って、小型化と低価格化を図ることができる。
【００５４】
また、ＰＬＬ回路４６（図示せず）の出力を切り替えスイッチ６６の制御端子に接続し、ＰＬＬ回路４６からの出力で切り替えスイッチ６６のオン・オフを制御しているので、切り替えスイッチ６６を制御する端子を特別に設ける必要は無い。従って、この点でも小型化と低価格化を図ることができる。
【００５５】
なお、実施の形態２においても、この減衰量選択回路６５と中間周波増幅器２９との間、或いは減衰量選択回路６５と検波器３８との間に抵抗を挿入すれば、全体のレベルを容易に調整することができる。
【００５６】
（実施の形態３）
図５は、高周波信号受信装置の受信に先立って、受信可能な放送局を検索する場合の操作フローチャートである。
【００５７】
先ず、入力部４１のキーボードから受信可能局の検索キーを押下する。そうすると、ステップ７１に進み、メモリ４４のアナログ放送局名とそのチャンネル番号を格納するＡエリアと、アナログ放送局に該当しないが検波器３８から出力がある周波数を格納するＷエリアと、デジタル放送局名とそのチャンネル番号を格納するＤエリアを初期化（クリア）する。
【００５８】
次に、ステップ７２に進む。このステップ７２では、制御部４３からの指令に基づいて、ＰＬＬ回路４６を動作させ、周波数の低い方（高い方からでも良い）からスキャンさせ、順次制御電圧を発振器２６に与えて発振させる。次に、ステップ７３では検波器３８からの出力があった時点でスキャンを中断（ステップ７４）する。
【００５９】
このスキャンを中断した時点で該当するアナログ放送局があれば（ステップ７５）メモリ４４のＡエリアに前記該当するアナログ放送局名とチャンネル番号を格納（ステップ７６）する。そして、この格納されたアナログ放送局名とチャンネル番号を表示部４９に表示（図６参照）する（ステップ７７）。そして、スキャンを再開（ステップ７８）する。
【００６０】
なお、ステップ７５において、スキャンを中断した時点で該当するアナログ放送局がなければ（ステップ７５）メモリ４４のＷエリアに前記該当する周波数を格納（ステップ７９）する。そして、ステップ７８に進みスキャンを再開する。スキャンの周波数がハイエンド（低い方からスキャンした場合はローエンド）になる（ステップ８０）まで、ステップ７３に戻り、この動作を繰り返す。
【００６１】
またステップ８０において、スキャンの周波数がハイエンドになったなら、メモリ４４のＷエリアのデータを読み出す（ステップ８１）。Ｗエリアにデータがあったなら、このＷエリアに格納されている周波数になるように制御部４３から指示する。そして、ＰＬＬ回路４６からＷエリアに格納された前記周波数に該当する周波数を発振器２６に向かって出力（ステップ８２）する。
【００６２】
この該当する周波数を発振器２６から出力した時点で該当するデジタル放送局があれば（ステップ８３）メモリ４４のＤエリアに前記該当するデジタル放送局名とチャンネル番号を格納（ステップ８４）する。そして、この格納されたデジタル放送局名とチャンネル番号を表示部４９に表示（図６参照）する（ステップ８５）。そして、Ｗエリアの周波数が格納された番地を一つアップ（ステップ８６）する。
【００６３】
なお、ステップ８３において、メモリ４４のＷエリアに格納された周波数データを出力した場合において、該当するデジタル放送局が存在しない場合には、直後ステップ８６に進み、Ｗエリアの周波数が格納された番地を一つアップする。
【００６４】
このとき、一つアップした番地にデータが存在（ステップ８７）していれば、ステップ８２に戻り、以上の動作を繰り返す。また、出力すべき周波数データを出力し尽くした場合（ステップ８７）には、この検索プログラムは終了（ステップ８８）する。
【００６５】
また、ステップ７３で検波器３８の検波出力が無かった場合と、ステップ８１でＷエリアにデータが無かった場合も、この検索プログラムは終了（ステップ８８）する。
【００６６】
以上のように、本実施の形態においては、デジタル放送信号５２或いはアナログ放送信号５１を受信するに先立って、アナログ放送信号帯をスキャンし、前記アナログ放送信号帯における検波器３８の出力を検出して、該当する高周波信号のアナログ放送局名と、これに対応するチャンネル番号をメモリ４４のＡエリアに格納している。また、検波器３８の出力が存在するにも係わらずアナログ放送局非該当の周波数はメモリ４４のＷエリアに格納するステップ７９を有している。そして、このステップ７９の後で、Ｗエリアに格納したアナログ放送局非該当の周波数を順次出力（スキャン）して、該当する高周波信号のデジタル放送局と、そのチャンネル番号をメモリ４４のＤエリアに格納している。
【００６７】
このことにより、デジタル放送局のスキャンにおいては、デジタル放送局が予め存在しそうなＤエリアに格納された周波数のみ検索すれば良いので、ガードインターバル信号のモードとガードインターバルをチェックする時間を著しく低減することができる。
【００６８】
また、この検索した放送局名とチャンネル番号は表示部４９に表示（ステップ７７，８５）されるので、どの放送を受信できるかを即座に知ることができる。
【００６９】
図６は、信号周波信号受信装置の表示部４９に表示されるアナログ放送局のチャンネル番号９１とアナログ放送局名９２、及びデジタル放送局のチャンネル番号９３とデジタル放送局名９４である。このように一覧表として表示されるので、どの放送が受信できるかを即座に知ることができる。また、この表示に併せて、検波器３８の出力レベルを視覚的に棒グラフ、或いは円グラフ等のグラフ表示や色彩を変えて表示することもできる。このように表示することにより、その地区での受信品質も併せて知ることができる。
【産業上の利用可能性】
【００７０】
本発明にかかる電子チューナは、低価格で使い勝手のよい部品が採用できるので、携帯用の高周波信号受信装置等に適用することができる。
【図面の簡単な説明】
【００７１】
【図１】本発明の実施の形態１における電子チューナを含む高周波信号受信装置のブロック図
【図２】同、アナログ放送信号とデジタル放送信号のレベル図
【図３】同、電子チューナを構成する電子スイッチの回路図
【図４】同、実施の形態２における電子チューナを含む高周波信号受信装置のブロック図
【図５】同、実施の形態３における高周波信号受信装置の受信放送局の有無を検索する動作のフローチャート
【図６】同、高周波信号受信装置の検索画面の平面図
【図７】従来の電子チューナを含む高周波信号受信装置のブロック図
【符号の説明】
【００７２】
２２  入力端子
２４  高周波増幅器
２４ａ  利得制御端子
２６  発振器
２７  混合器
２８  中間周波フィルタ
２９  中間周波増幅器
３０  切り替えスイッチ
３０ａ  共通端子
３０ｂ  一方の端子
３０ｃ  他方の端子
３１  チューナ出力端子
３４  チューナ出力端子
４０  減衰量選択回路
４６  ＰＬＬ回路
５０  電子チューナ
５１  アナログ放送信号
５２  デジタル放送信号
【図１】
2007067471.tif 000003
【図２】
2007067471.tif 000004
【図３】
2007067471.tif 000005
【図４】
2007067471.tif 000006
【図５】
2007067471.tif 000007
【図６】
2007067471.tif 000008
【図７】
2007067471.tif 000009